(57)【要約】【課題】着脱自在の仕切り板によって、身容器の内部を区画する容器において、成型が容易で、強固な仕切り状態の間仕切り構造を実現する。【解決手段】合成樹脂材で成型する身容器１は、側壁1a内面に形成したアリ溝３と、仕切り板２の側面に形成したアリ４を嵌合させることによって仕切り板２で身容器１の内部を区画する。身容器１の側壁1a内面に形成するアリ溝３は、開口端から容器の下端に至るまでの中間位置までとし、アリ溝３の下方にストレートの凹溝５を形成する。一方、仕切り板２の側面には、アリ溝３に嵌合するアリ４と、凹溝５に係合する突条６を形成する。アリ溝３に続く凹溝５は、先細りのテーパ溝とし、仕切り板２の側面に形成する突条６を、先端部分においてのみ凹溝５に密接する細幅とする。【選択図】  図１
2008013182.tif 000002
【特許請求の範囲】
【請求項１】
合成樹脂材で成型する身容器の側壁内面に形成したアリ溝と、仕切り板の側面に形成したアリを嵌合させることによって身容器の内部を着脱自在の仕切り板によって区画する携帯用容器などの間仕切り構造において、
身容器の側壁内面に形成するアリ溝を、開口端から容器の下端に至るまでの中間位置までとし、アリ溝の下方に内奥の広がりがない凹溝を形成するとともに、仕切り板の側面に前記アリ溝に嵌合するアリと、凹溝に係合する突条を形成したことを特徴とする携帯用容器などの間仕切り構造。
【請求項２】
身容器の側壁内面に形成するアリ溝に続く凹溝は、先細りのテーパ溝とするとともに、仕切り板の側面に形成する突条を先端部分においてのみ凹溝に密接する細幅とすることを特徴とする請求項１記載の携帯用容器などの間仕切り構造。
【請求項３】
身容器内を複数に区画する区画壁を身容器と一体に形成し、身容器の側壁と区画壁もしくは区画壁と区画壁の間に仕切り板を装着し、身容器の開放面に蓋を装着する容器において、区画壁の上縁と蓋の内面に形成した係合部を係合させることを特徴とする請求項１又は２記載の携帯用容器などの間仕切り構造。
【発明の詳細な説明】
【技術分野】
【０００１】
この発明は、手提げ鞄、携帯用小物入れといった携帯用などの容器であって、身容器の内部を着脱自在の仕切り板によって区画する間仕切り構造に関する発明である。
【背景技術】
【０００２】
手提げ鞄、工事用小物部品を収容する手提げ式の携帯容器などの容器には、その内部を着脱自在の仕切り板によって区画し、複数種類の物品を仕分けした状態で収容するものが知られている。一般的な着脱自在の間仕切り構造は、身容器の側壁内面に凹溝を形成し、仕切り板の側縁部分を差し込む構造であるが、この構造ではガタツキを生じ易く、外れ易い欠点がある。この欠点を解消するために、例えば特許文献１ないし３に開示されるように、身容器の側壁内面にアリ溝を形成するとともに仕切り板の側縁部分にアリを形成し、アリ嵌合によってガタツキのない状態で仕切り板を装着する思想が知られている。
【特許文献１】実用新案登録第３０６９１０９号公報
【特許文献２】特開平０５−１６８６５０号公報
【特許文献３】実用新案登録第３１０４２８３号公報
【発明の開示】
【発明が解決しようとする課題】
【０００３】
合成樹脂材によってアリ溝を成型する場合、長寸法のアリ溝を成型しようとすると、型と成型品との接触面積が大きくなり過ぎるため脱型が困難で、実施することができなかった。そのため、アリ嵌合による仕切り板の製品は、特許文献１や２に図示されている如く比較的浅い身容器の容器に限られる欠点があった。
特許文献３には、容器の側壁内面及び仕切り部材の上方部分にのみアリを形成する小物入れの思想が開示されている。しかしながら、単に、容器の側壁内面及び仕切り部材の上方部分においてのみアリ嵌合をさせたものでは、装着した仕切り部材の安定が悪いとともに、例えば仕切り部材の下部に外力が作用した場合に、アリ嵌合部分に過大な力が作用し、耐久性にも問題があるという欠点があった。
【０００４】
上記従来技術の欠点に鑑み、本発明は、比較的深さの深い容器において、アリ嵌合の特長である仕切り板の安定性を十二分に確保しつつ、製造に際して成型(脱型)が容易であって、しかも使用に際して仕切り板の着脱操作を円滑に行なうことができる、携帯用容器などの間仕切り構造を実現することを目的とするものである。
【課題を解決するための手段】
【０００５】
上記目的を達成するために、請求項１記載の本発明は、合成樹脂材で成型する身容器１の側壁1a内面に形成したアリ溝３と、仕切り板２の側面に形成したアリ４を嵌合させることによって身容器１の内部を着脱自在の仕切り板２によって区画する携帯用容器などの間仕切り構造において、
身容器１の側壁1a内面に形成するアリ溝３を、開口端から容器の下端に至るまでの中間位置までとし、アリ溝３の下方に内奥の広がりがない、ストレートの凹溝５を形成する。一方、仕切り板２の側面には、前記アリ溝３に嵌合するアリ４と、凹溝５に係合する突条６を形成する。
【０００６】
請求項２記載の発明は、身容器１の側壁1a内面に形成するアリ溝３に続く凹溝５を、先細りのテーパ溝とする。そして、仕切り板２の側面に形成する突条６を、先端部分においてのみ凹溝５に密接する細幅とする。すなわち、突条６はその中間位置において凹溝５の内側面とは接触しない形状とする。
【０００７】
請求項３記載の発明は、身容器１内を複数に区画する区画壁７を身容器１と一体に形成し、身容器１の側壁1aと区画壁７もしくは区画壁７と区画壁７の間に仕切り板２を装着するものであって、身容器１の開放面に蓋８を装着する容器構造とする。この容器構造において、蓋８の内面に凹溝などの係合部９を形成し、蓋８を装着したときに、区画壁７の上縁と蓋８の内面に形成した係合部９を係合するさせることである。
【発明の効果】
【０００８】
請求項１記載の発明によれば、比較的深さの深い身容器であっても、身容器１の側壁1a内面にアリ溝３とそれに続く凹溝５を成型することができる。すなわち、脱型が困難になるアリ溝３の寸法を短く、脱型が容易な凹溝５を組み合わせることによって、比較的深い身容器に上端から下端部に至る溝を形成することができる。そして、この溝に装着した仕切り板２は、上端部におけるガタツキを生じないアリ嵌合と、それに続く横振れを防止する凹溝と突条の係合によって、仕切り板２をしっかりと安定良く装着することができる。
アリ溝３に続く凹溝５は、仕切り板２を装着する場合のガイドとして機能し、円滑に着脱することが可能となる。
【０００９】
請求項２記載の発明によれば、仕切り板２側面に形成する細幅の突条６部分を、アリ溝３の開口部から挿入する。したがって、突条６がガイド手段として機能するとともに、挿入途中においては、突条６と凹溝５との間に摩擦抵抗が作用せず、かつ最終的な挿入位置で仕切り板２の下端部を、テーパ状の楔作用によって確実に密接させることができる。そのため、装着が円滑で、ガタツキのない確実な装着状態を容易に実現することができる。
【００１０】
請求項３記載の発明によれば、蓋をすることによって区画壁７の上端が定位置に保持される。そのため、携行時などにおいて容器を傾けた場合など、区画壁７や仕切り板などに外力が作用することがあっても、仕切り壁の撓みを防止し、アリ嵌合部分などに無理な力が作用することがなく、全体として強固な間仕切り構造を実現することができる。
【発明を実施するための最良の形態】
【００１１】
以下、本発明に係る携帯用容器などの間仕切り構造の実施形態を、添付の図面に基づいて説明する。
図１は、本発明に係る間仕切り構造の実施形態を示す、携帯用容器の部分拡大斜視図、図２は、本発明に係る間仕切り構造を採用する携帯用容器の一例を示す開蓋状態の平面図である。
【００１２】
図２に示す携帯用容器は、身容器１の一側面にハンドル10を設けるとともに、ハンドルの対向側面に蓋８をヒンジ11で軸支することによって開閉自在とし、全体を合成樹脂材で成型する携帯用容器である。比較的深い厚み(例えば８cm程度)の身容器１には、対向する左右の側壁間に二つの区画壁７，７を一体に成型して、身容器１の内部空間を、横長の収容空間12，12，12に三等分している。横長の三つの収容空間12，12，12は、着脱自在の仕切り板２，２によって小さな収容空間に区画し、目的に応じて各種の物品を仕分けした状態で収容して携行する。
【００１３】
横長の収容空間12を区画する仕切り板２を着脱自在とするために、身容器１の上下の側壁内面と区画壁７の側面に、装着のための溝を成型するとともに、仕切り板２の側面に身容器１に形成した前記溝に嵌合する突出部分を形成している。身容器１の側壁内面及び区画壁７の側面に形成する溝は、図１に示すように上半部をアリ溝３とし、下半部をアリ溝３に続くストレート溝、すなわち内奥に広がりのない凹溝５としている。具体的には、アリ溝３の長さＬを25mm程度、凹溝５を下端に達する55mm程度する。アリ溝３の長さＬは、成型の容易性から決定するもので、アリ溝の具体的形状、成型条件などによって設計すればよいが、一般的なポリプロピレン樹脂品の成型の場合、上記寸法によって支障なく成型することができる。
【００１４】
仕切り板２の側面には、上記のアリ溝３及び凹溝５に係合する、突出部分を形成している。すなわち、図１や図４に示すように、仕切り板２の側面に上半部をアリ４とし、アリ４に続けて細幅の突条６を形成している。アリ４の長さL’は、前記アリ溝３に係合するものであるから、アリ溝３の長さＬと同一もしくは僅かに短い寸法とし、続く細幅の突条６は、仕切り板２の下部に達するものとするが、突条６は必ずしも下端にまで達するものでなくてもよい。
【００１５】
アリ溝３の幅Ｗは、ストレートであってもよいが、成型の抜き勾配を考慮して多少先方を細幅とするのが好ましい。一方、アリ溝３に続く凹溝５は、上部を広幅W1、下部を細幅W2のテーパ状とする。この構造は、アリ溝３及び凹溝５の成型に際して、抜き勾配を大きく確保することになり、成型(脱型)が容易なものとなる実益を有するものである。
一方、仕切り板２の側面に形成する突条６は、その幅wを、凹溝５下端部の幅W2とほぼ等しいものとする。
【００１６】
上記構成とすることによって、図６及び図７に示すように、アリ溝３とアリ４のアリ嵌合は、仕切り板のガタツキを十分に防止できる密接状態となる。一方、突条６の上部においては、図６及び図８に示すように、凹溝５と突条６はその左右側面が密接しない、余裕のある状態であって、突条６の下端部においては、図６及び図９に示すように凹溝５と突条６は、その左右側面が密接状態で係合する。換言すれば、仕切り板２は、上部のアリ嵌合と下端部の係合によって保持されるため、極めて安定良く装着される。
【００１７】
同時に、凹溝５と突条６は、全長に亘って密接しないため、仕切り板２の着脱に際して摩擦抵抗が少なく、着脱が容易なものとなる。具体的に装着の過程を説明すると、まず広幅であるアリ溝３部分に細幅である突条６の先端部分を挿入する。このとき、幅に余裕があるため位置合わせが容易である。続いて、アリ４とアリ溝３を嵌合させた状態で仕切り板を押し進める。このとき、挿入抵抗はアリ嵌合部分の抵抗のみであり、長寸法の突条６部分に摩擦抵抗は発生しない。そして、仕切り板２挿入の最終段階において、細幅である凹溝５の先方部分に、突条６の先端部分が、あたかも楔を打ち込むように挿入され、突条６の先端部分を確実に係止する。
【００１８】
本発明は、身容器１の対向する側壁内面間に、仕切り板２を装着するものであってもよいが、図示例の携帯用容器では、身容器１と一体に成型する区画壁７によって、身容器１の内部が区画されている。したがって仕切り板２は、側壁内面と区画壁７の間もしくは、区画壁７と区画壁７の間に装着することになる。このようなものでは、区画壁７の強度(剛性)が不足する可能性がある。換言すれば、身容器１の周壁は箱体を形成するため剛性が高く、容器全体の強度を決定するものであるため、十分な強度が得られる肉厚に成型される。これに対して区画壁７は、側面から力が作用した場合に撓む可能性があり、身容器１の内部を区画することが目的の構造であるため、薄い肉厚で成型するものであってもよい。
【００１９】
したがって、身容器１内に重いものを収容して持ち歩いた場合に、収容物の重量が区画壁に掛かり、区画壁７が撓む可能性がある。仕切り板２を装着することによって、仕切り板２自体が強度を向上させる構造部材として機能する作用がある。しかしながら区画壁７に収容物の重量が掛かると、仕切り板２と区画壁７の嵌合部分に無理な力が作用することになる。このような事態を想定し、図示実施形態では、仕切り板２の上端に少し突出する突出部7aを形成するとともに、蓋８の内面に係合部９、具体的には凹溝を形成している。そして、閉蓋状態において、区画壁７上端の突出部7aと蓋８の係合部９が係合するように構成している。
【００２０】
上記構成とすることによって、蓋８を閉じて、携行する場合において、身容器１と蓋８の係合だけでなく区画壁７や仕切り板２を含む全体が構造部材として機能し、丈夫で、仕切り板２に無理な力が作用しない、間仕切り構造を備えた携帯用容器を実現することができる。
【図面の簡単な説明】
【００２１】
【図１】図１は、本発明に係る間仕切り構造の実施形態を示す、携帯用容器の部分拡大斜視図、
【図２】図２は、本発明に係る間仕切り構造を採用する携帯用容器の一例を示す開蓋状態の平面図、
【図３】図３は、仕切り板を装着した身容器の一部分のみの縦断面図、
【図４】図４は、仕切り板の側面図、
【図５】図５は、携帯用容器全体の縦断面図
【図６】図６は、身容器と仕切り板の係合部分の縦断面図、
【図７】図７は、図６のＡ―Ａ線断面図、
【図８】図８は、図６のＢ―Ｂ線断面図、
【図９】図９は、図６のＣ―Ｃ線断面図。
【符号の説明】
【００２２】
１…身容器、  1a…側壁、  ２…仕切り板、  ３…アリ溝、  ４…アリ、  ５…凹溝、  ６…突条、  ７…区画壁、  7a…突出部、  ８…蓋、  ９…係合部、  10…ハンドル、  11…ヒンジ、  12…収容空間。
【図１】
2008013182.tif 000003
【図２】
2008013182.tif 000004
【図３】
2008013182.tif 000005
【図４】
2008013182.tif 000006
【図５】
2008013182.tif 000007
【図６】
2008013182.tif 000008
【図７】
2008013182.tif 000009
【図８】
2008013182.tif 000010
【図９】
2008013182.tif 000011